(57)【要約】【課題】ガイドレールにスライドを移動可能に装架したスライドユニットにおいて、スライド上面とガイドレール下面との間の取付寸法を自動調整可能とする。【解決手段】スライドは上面に作用する負荷方向と直交するガイド方向にガイドレール上を移動する。スライドは摺動方向に対して傾斜した摺接面で基部スライドと昇降スライドとに分割され、両スライドのガイド方向の相対移動により昇降スライドが負荷方向に移動する。支持体と移動体の一方に昇降スライドを固定し、他方にガイドレールを固定する。昇降スライド上面とガイドレール下面との間の取付寸法が大となる方向に昇降スライドを弾性体により基部スライドに対してガイド方向に相対移動させる。これにより、ガイドレール、基部スライド、昇降スライドは弾性体の撥力により互いに当接して支持体と移動体との間に所望の押圧力で挟持される。【選択図】  図１
2004183788.tif 000002
【特許請求の範囲】
【請求項１】
スライドに作用する負荷方向と直交するガイド方向に延在するガイドレールにスライドを移動可能に装架し、前記スライドを基部スライドと該基部スライドに前記ガイド方向に相対移動可能に摺接された昇降スライドとに分割し、前記両スライドの相対移動により前記昇降スライドが前記負荷方向に移動するように前記摺接面を前記ガイド方向に対して傾斜させ、前記昇降スライド上面と前記ガイドレール下面との間の取付寸法が大となる方向に前記昇降スライドを前記基部スライドに対して前記ガイド方向に相対移動させる弾性体を前記両スライド間に介在したことを特徴とする取付寸法自動調整機能付きスライドユニット。
【請求項２】
請求項１において、前記ガイド方向に延在する支持ロッドを前記両スライドの一方に突設し、該支持ロッドが貫通し前記負荷方向に長く形成された長穴を他方スライドに穿設し、前記支持ロッドの前記長穴から突出した端部に形成された頭部と前記他方スライドの端面との間に前記弾性体を介在したことを特徴とする取付寸法自動調整機能付きスライドユニット。
【請求項３】
請求項１または２において、前記弾性体が皿バネであることを特徴とする取付寸法自動調整機能付きスライドユニット。
【請求項４】
請求項１乃至３のいずれかにおいて、前記弾性体を前記昇降スライドおよびガイドレールを固定する支持体および移動体の材質の熱膨張係数、使用温度差等の条件に応じて変更可能としたことを特徴とする取付寸法自動調整機能付きスライドユニット。
【請求項５】
移動体を支持体に移動可能に支持する軸受装置において、該移動体と支持体との間に請求項１乃至４のいずれかに記載の取付寸法自動調整機能付きスライドユニットを複数個配置し、前記移動体および支持体の一方に前記ガイドレールを前記移動体の移動方向と平行に固定し、他方に前記昇降スライドを固定したことを特徴とする軸受装置。
【請求項６】
使用時の温度差が１００℃以上ある機械に使用されることを特徴とする請求項１乃至４のいずれかに記載の取付寸法自動調整機能付きスライドユニットまたは請求項５に記載の軸受装置。
【請求項７】
タイヤ加硫機に使用されることを特徴とする請求項１乃至４のいずれかに記載の取付寸法自動調整機能付きスライドユニットまたは請求項５に記載の軸受装置。
【発明の詳細な説明】
【０００１】
【発明の属する技術分野】
本発明は、ガイドレールにスライドを移動可能に装架したスライドユニットに関するものである。
【０００２】
【従来の技術】
従来、機械の支持体に形成された凹部の両内側面に一対のスライドユニットのスライドを固定し、移動体に形成された凸部の両側面にガイドレールを固定し、移動体を支持体に移動可能に支持していた。そして、凹部内側面と、凸部側面との間に形成されるスペースの寸法バラツキによるスライドと凹部内側面との間の隙間をなくすために、一対のシューが傾斜面で互いに摺接するシューユニットをスライドと凹部内側面との間に取付け、一対のシューの相対移動によりシューユニットの厚さを変更し、前記隙間をなくした状態で一対のシューの相対移動を規制していた。
【０００３】
また、環境温度変化によるネジ噛み合い部のバックラッシ量の変化によるすべり摩擦力の変動を防止するために、雄ねじと噛み合う第１ナットおよび第２ナットの相対回転を規制し、両ナット間に皿バネを介在してバックラッシを除去したものが特開２０００−８５５９２号公報に記載されている。
【０００４】
【特許文献１】
特開２０００−８５５９２号公報（第４頁、図４）
【０００５】
【発明が解決しようとする課題】
しかし、上記従来の装置では、機械の温度が使用中に大きく変化し、支持体の凹部内側面と、移動体の凸部側面との間に形成されたスペースの寸法が刻々変化する場合には対応することができなかった。例えば２００℃前後で使用されるタイヤ加硫機の加硫金型を分割した分割金型が固定された移動体と移動体を支持する支持体との間に複数のスライドユニットを介在して形成した各軸受部では、支持体に設けた凹部内側面と、移動体に突設した凸部側面との間に形成されるスペースの寸法は温度上昇により熱膨張する。温度が下降したときのスペース寸法が、スライドユニットのガイドレール下面とスライド上面との間の取付寸法より大となってクリアランスを維持するために、スライドユニットの取付寸法の熱膨張量が、スペース寸法の熱膨張量より大きくなるように機材を選択している。そして、スペース寸法とスライドユニットの取付寸法との差を、室温時には許容し、高温時には移動体を支持体により隙間なく正確にガイドするためにシューユニットの厚さを調整して０にしていた。しかし、各部の熱膨張は均一でなく、高温使用時に軸受部にガタが生じ、或いは軸受部の接触圧力が過大になる不具合があった。
【０００６】
本発明は、係る従来の不具合を解消するためになされたもので、ガイドレールにスライドを移動可能に装架したスライドユニットにおいて、スライド上面とガイドレール下面との間の取付寸法が自動的に調整可能なスライドユニットを提供することである。
【０００７】
【課題を解決するための手段】
上記の課題を解決するため、請求項１に記載の発明の構成上の特徴は、スライドに作用する負荷方向と直交するガイド方向に延在するガイドレールにスライドを移動可能に装架し、前記スライドを基部スライドと該基部スライドに前記ガイド方向に相対移動可能に摺接された昇降スライドとに分割し、前記両スライドの相対移動により前記昇降スライドが前記負荷方向に移動するように前記摺接面を前記ガイド方向に対して傾斜させ、前記昇降スライド上面と前記ガイドレール下面との間の取付寸法が大となる方向に前記昇降スライドを前記基部スライドに対して前記ガイド方向に相対移動させる弾性体を前記両スライド間に介在したことである。
【０００８】
請求項２に記載の発明の構成上の特徴は、請求項１において、前記ガイド方向に延在する支持ロッドを前記両スライドの一方に突設し、該支持ロッドが貫通し前記負荷方向に長く形成された長穴を他方スライドに穿設し、前記支持ロッドの前記長穴から突出した端部に形成された頭部と前記他方スライドの端面との間に前記弾性体を介在したことである。
【０００９】
請求項３に記載の発明の構成上の特徴は、請求項１または２において、前記弾性体が皿バネであることである。
【００１０】
請求項４に記載の発明の構成上の特徴は、請求項１乃至３のいずれかにおいて、前記弾性体を前記昇降スライドおよびガイドレールを固定する支持体および移動体の材質の熱膨張係数、使用温度差等の条件に応じて変更可能としたことである。
【００１１】
請求項５に記載の発明の構成上の特徴は、移動体を支持体に移動可能に支持する軸受装置において、該移動体と支持体との間に請求項１乃至４のいずれかに記載の取付寸法自動調整機能付きスライドユニットを複数個配置し、前記移動体および支持体の一方に前記ガイドレールを前記移動体の移動方向と平行に固定し、他方に前記昇降スライドを固定したことである。
【００１２】
請求項６に記載の発明の構成上の特徴は、請求項１乃至４のいずれかに記載の取付寸法自動調整機能付きスライドユニットまたは請求項５に記載の軸受装置が、使用時の温度差が１００℃以上ある機械に使用されることである。
【００１３】
請求項７に記載の発明の構成上の特徴は、請求項１乃至４のいずれかに記載の取付寸法自動調整機能付きスライドユニットまたは請求項５に記載の軸受装置が、タイヤ加硫機に使用されることである。
【００１４】
【発明の作用・効果】
上記のように構成した請求項１に係る発明においては、スライドは上面に作用する負荷方向と直交するガイド方向にガイドレール上を移動する。スライドはガイド方向に対して傾斜した摺接面で基部スライドと昇降スライドとに分割され、両スライドのガイド方向の相対移動により昇降スライドが負荷方向に移動する。相対移動する支持体と移動体の一方に昇降スライドの上面を固定し、他方にガイドレールの下面を固定する。昇降スライド上面とガイドレール下面との間の取付寸法が大となる方向に昇降スライドを弾性体により基部スライドに対してガイド方向に相対移動させる。これにより、ガイドレール、基部スライド、昇降スライドは弾性体の撥力により互いに当接して支持体と移動体との間に所望の押圧力で挟持されるので、支持体と移動体との間のスペースの寸法が変化しても、昇降スライド上面とガイドレール下面との間の取付寸法がスペース寸法の変化に自動的に調整され、移動体は支持体にスライドユニットによりガタのない状態で適切な支持力で案内支持される。
【００１５】
上記のように構成した請求項２に係る発明においては、基部スライドおよび昇降スライドの一方に支持ロッドをガイド方向に突設する。他方に支持ロッドが貫通する長穴を昇降スライド上面に作用する負荷方向に長く形成する。支持ロッドの長穴から突出した端部に形成された頭部と長穴が開口する端面との間に介在された弾性体の撥力により昇降スライドを基部スライドに対してガイド方向に相対移動させて昇降スライド上面とガイドレール下面との間の取付寸法を拡大するので、支持体と移動体との間のスペースの寸法が変化しても、移動体を簡単で低コストな構造のスライドユニットにより適切な支持力で支持体に案内支持することができる。
【００１６】
上記のように構成した請求項３に係る発明においては、皿バネのバネ力により昇降スライドを基部スライドに対してガイド方向に相対移動させるので、支持体と移動体との間のスペースの寸法変化量に拘わらず、移動体を均一な支持力で支持体に案内支持することができる。
【００１７】
上記のように構成した請求項４に係る発明においては、昇降スライドを基部スライドに対してガイド方向に相対移動させてスライドユニットの取付寸法を増大させる弾性体を、昇降スライドおよびガイドレールを固定する支持体および移動体の材質の熱膨張係数、使用温度差等の条件に応じて変更する。これにより、支持体と移動体との間に形成されるスペースの寸法の熱膨張量が変化した場合にも、適切な弾性率を有する弾性体に変更することにより、移動体を所望支持力で支持体に案内支持することができる。
【００１８】
上記のように構成した請求項５に係る発明においては、移動体と支持体との間に請求項１乃至４のいずれかに記載のスライドユニットを複数個配置し、移動体および支持体の一方にガイドレールを移動体の移動方向と平行に固定し、他方に昇降スライドを固定したので、支持体と移動体との間のスペースの寸法が変化しても、移動体を支持体にガタのない状態で適切な支持力で案内支持できる軸受装置を提供することができる。
【００１９】
上記のように構成した請求項６に係る発明においては、請求項１乃至４のいずれかに記載の位置自動調整機能付きスライドユニットまたは請求項５に記載の軸受装置を、使用時の温度差が１００℃以上ある機械に使用するので、支持体と移動体との間に形成されるスペースの寸法が、１００℃以上の温度差で熱膨張により変化しても、移動体を均一な支持力で支持体に案内支持することができる。
【００２０】
上記のように構成した請求項７に係る発明においては、請求項１乃至４のいずれかに記載の位置自動調整機能付きスライドユニットまたは請求項５に記載の軸受装置を、タイヤ加硫機に使用する。これにより、タイヤ加硫機の軸受部を室温で正確に組付ければ、加硫温度２００℃前後まで温度が上昇しても、スライドユニットが配置されたスペースの寸法とスライドユニットの取付寸法との熱膨張差は弾性体により吸収され、分割金型が固定された移動体を均一な支持力で支持体に正確に案内支持することができる。
【００２１】
【実施の形態】
以下、本発明に係る取付寸法自動調整機能付きスライドユニット１の実施形態を図１，２に基づいて説明する。２はスライド３を摺動可能に装架するガイドレールで、スライド３に作用する負荷方向と直交するガイド方向に延在している。ガイドレール２の上面には、摺動面４がハの字状に突設され、摺動面４にスライド３の下面に形成されたＶ溝５が係合してスライド３がガイド方向に摺動可能に案内される。スライド３は基部スライド６と昇降スライド７とに摺接面８で分割されている。摺接面８は、両スライド６，７のガイド方向の相対移動により昇降スライド７が負荷方向に移動するように、ガイド方向に対して２０度傾斜して形成されている。基部スライド６の上面には、摺接面８の中央部に案内突部９が突設され、昇降スライド７の下面には案内突部９に嵌合して昇降スライド７を摺接面８に沿って案内する凹溝１０が形成されている。昇降スライド７上面とガイドレール２下面との間の取付寸法Ａが大となる方向に昇降スライド７を基部スライド６に対してガイド方向に相対移動させる弾性体としての皿バネ１１が両スライド６，７間に介在されている。即ち、支持ロッド１２が昇降スライド７に凹溝１０の底面から螺入され、基部スライド６の傾斜した上面を横切ってガイド方向に延在している。基部スライド６には、支持ロッド１２が貫通する長穴１３が穿設され、長穴１３は支持ロッド１２が相対移動可能なように負荷方向に長く形成されている。支持ロッド１２の長穴１３から突出した端部には頭部１４が形成され、頭部１４と基部スライド６の長穴開口端面との間に皿バネ１１が介在されている。１５は基部スライド６の長穴開口端面に固定された回り止め部材で、支持ロッド１２の頭部１４に当接して支持ロッド１２の回り止めを行っている。
【００２２】
なお、上記実施形態では、摺接面８をガイド方向に対して２０度傾斜して形成しているが、摺動面８の傾斜角度を２０度弱から〜３０度にしても、昇降スライド７は、両スライド６，７のバネ力によるガイド方向の相対移動により負荷方向に所望の支持力で付勢される。弾性体は皿バネの他に線材の断面形状が矩形の圧縮スプリング、或いは通常のコイルスプリング等を使用することができる。
【００２３】
また、支持ロッド１２を基部スライド６に案内突部９上面から螺入し、昇降スライド７の凹溝１０を横切ってガイド方向に延在し、昇降スライド７に支持ロッド１２が貫通する長穴１３を穿設し、支持ロッド１２の頭部１４と昇降スライド７の長穴開口端面との間に皿バネ１１を介在するようにしてもよい。さらに、昇降スライド７の下面に案内突部９を突設し、基部スライド６に凹溝１０を刻設してもよい。
【００２４】
次に、上記実施形態に係る取付寸法自動調整機能付きスライドユニット１の作動について説明する。支持体１６に移動体１７が移動可能に装架され、支持体１６と移動体１７との間には、取付寸法自動調整機能付きスライドユニット１が配置されるスペース１８が形成されている。支持体１６及び移動体１７の一方にガイドレール２が移動体１７の移動方向と平行に固定され、他方に昇降スライド７の上面が固定される。昇降スライド７は皿バネ１１の設定されたバネ力で基部スライド６に対してガイド方向に付勢され、傾斜した摺接面８の作用により取付寸法Ａが拡大するように負荷方向に所定力で付勢される。これにより、スライドユニット１は支持体１６と移動体１７との間のスペース１８内に所定の押圧力で挟持され、ガイドレール２、基部スライド６、昇降スライド７は、皿バネ１１の設定バネ力に基づいて所定圧力で互いに当接され、スペース１８の寸法Ｂが多少変化しても、昇降スライド７上面とガイドレール２下面との間の取付寸法Ａが自動的に調整され、移動体７は支持体６に取付寸法自動調整機能付きスライドユニット１によりガタのない状態で適切な支持力で案内支持される。皿バネは圧縮量の変化に対するバネ力の変化が小さいので、スペース１８の寸法Ｂが変化しても、スライドユニット１は、ほぼ同じ支持力で移動体１７を支持体１６に案内支持することができる。
【００２５】
複数の取付寸法自動調整機能付きスライドユニット１を用いて移動体１７を支持体１６に移動可能に支持する軸受装置２０およびこの軸受け装置２０を使用したタイヤ加硫機２１の要部について図３、４に基づいて説明する。未加硫配合ゴムで成形された所謂生タイヤは、タイヤ加硫機２１の加硫金型２２内に入れられ、約２００℃に加熱しながら生タイヤの内周面に嵌合された拡張型により拡張されて、未加硫配合ゴムを加硫して成型される。加硫金型２２はタイヤを出し入れすために複数個の分割金型２３に分割され、各分割金型２３は各移動体１７に固定されている。各移動体１７は複数の取付位置調整機能付きスライドユニット１からなる軸受２０により支持体１６に半径方向に移動可能に支持されている。
【００２６】
各移動体１７の前側を支持する前支持体１６ａには、各移動体１７に対応して凹部２４が放射状に形成されている。各移動体１７には凸部２５が分割金型２３の反対側で半径方向に一体的に突設され、凹部２４に挿入されている。凹部２４内側面と、凸部２５両側面との間に形成されるスペース２６ａ，２６ｂ内にはスライドユニット１が夫々配置され、凸部２５の両側面にガイドレール２が半径方向に固定され、凹部２４の内側面に昇降スライド７の上面が夫々固定されている。各移動体１７の後側を支持する後支持体１６ｂには、各移動体１７に対応して取付座２７が放射状に形成されている。各移動体１７には取付面２８が分割金型２３の反対側で半径方向に設けられ、取付座２７との間でスペース２９を形成している。スペース２９内にはスライドユニット１が配置され、取付面２８にガイドレール２が半径方向に固定され、取付座２７に昇降スライド７の上面が固定されている。このように、各移動体１７は３個のスライドユニット１から構成された軸受装置２０により前後支持体１６ａ，１６ｂに半径方向に摺動可能に支持されている。そして、各移動体１７は、図略の金型開閉装置により半径方向に進退され、分割金型２３を閉鎖位置と開放位置とに位置決めするようになっている。
【００２７】
タイヤ加硫機２１は使用温度が約２００℃で、使用時の温度差が１００℃以上あるので、前支持体１６ａの凹部２４内側面と、移動体１６の凸部２５両側面との間に形成されるスペース２６ａ，２６ｂの寸法Ｂは、温度変化によりかなり変動するが、スライドユニット１の昇降スライド７上面とガイドレール２下面との間の取付寸法Ａがスペース２６ａ，２６ｂの寸法Ｂの変化に追従して自動的に調整され、移動体１７の前側は、その凸部２５両側面と前支持体１６ａの凹部２４内側面との間に配置された２個の取付寸法自動調整機能付きスライドユニット１により凸部２５両側面をガタのない状態で適切な支持力で前支持体１６ａに案内支持される。後支持体１６ｂの取付座２７と、移動体１７の取付面２８との間のスペース２９が温度変化により変動しても、スライドユニット１の取付寸法Ａがスペース２９の寸法Ｂの変化に追従して自動的に調整され、移動体１７の後側は、スライドユニット１によりガタのない状態で適切な支持力で後支持体１６ｂに案内支持される。
【００２８】
スペース２６ａ，２６ｂ，２９の寸法Ｂは、支持体１６および移動体１７の材質の熱膨張係数および使用温度差などの条件により変化する。各条件下において、スライドユニット１が所望の支持力で移動体１７を支持体１６に案内支持するためには、各条件に適した皿バネ１１を選択して使用する必要がある。条件に応じて皿バネ１１を変更するには、回り止め部材１５を取外し、支持ロッド１２を回して昇降スライド７との螺合を外し、条件に適した皿バネ１１を頭部１４と基部スライド６の長穴開口端面との間に介在して支持ロッド１２を昇降スライド７に螺入し、回り止め部材１５を固定して支持ロッド１２を回り止めする。
【００２９】
各移動体１７が後退されて各分割金型２３が解放した状態で生タイヤが挿入され、金型開閉装置により各移動体１７が軸受装置２０に案内されて前進され、各分割金型２３が閉鎖され、生タイヤが加硫金型２２内に入れられる。生タイヤは約２００℃に加熱されながら内周面に嵌合された拡張型により拡張されて、加硫成型される。加硫成形後、各移動体１７が金型開閉装置により後退され、各分割金型２３が解放されて加硫成型されたタイヤが取出される。
【図面の簡単な説明】
【図１】取付寸法自動調整機能付きスライドユニットの側面図。
【図２】図１のＩＩ方向から見た図。
【図３】タイヤ加硫機の要部断面図。
【図４】図３のＩＶ−ＩＶ線方向から見た図。
【符号の説明】
１…取付寸法自動調整機能付きスライドユニット、２…ガイドレール、３…スライド、６…基部スライド、７…昇降スライド、８摺接面、１１…皿バネ（弾性体）、１２…支持ロッド、１３…長穴、１４…頭部、１５…回り止め部材、１６…支持体、１６ａ，１６ｂ…前後支持体、１７…移動体、１８，２６ａ，２６ｂ，２９…スペース、２０…軸受装置、２１…加硫機、２２…加硫金型、２３…分割金型、Ａ…取付寸法、Ｂ…スペース寸法。
【図１】
2004183788.tif 000003
【図２】
2004183788.tif 000004
【図３】
2004183788.tif 000005
【図４】
2004183788.tif 000006